(57)【要約】【課題】フィラメントコイル４の巻回部４ａとこれを覆うスリーブ７の内周面との間で点灯時に短絡が発生し、巻回部４ａが十分に予熱されずにランプ１が点灯を開始すると、電子放出物質３ａが過剰にスパッタされて過剰に損耗され、ランプ寿命が縮む。【解決手段】スリーブ７を、基体１９の内周面に絶縁膜２０を被着させてなる構成とした。【選択図】図３
2008117635.tif 000002
【特許請求の範囲】
【請求項１】
電子放出物質が被着された巻回部を有するフィラメントコイルが、ガラスバルブ内の各端に配された熱陰極蛍光ランプであって、
前記巻回部が耐熱性スリーブで覆われており、
前記耐熱性スリーブの内周面の少なくとも一部領域が絶縁性を有することを特徴とする熱陰極蛍光ランプ。
【請求項２】
前記耐熱性スリーブは、両端が開口された筒状の導電性基体と、その内周面の少なくとも一部領域に被着された耐熱性の絶縁膜とを含んでなることを特徴とする請求項１に記載の熱陰極蛍光ランプ。
【請求項３】
前記巻回部の巻回軸が前記ガラスバルブの管軸と略平行であり、
前記絶縁膜は、前記導電性基体の内周面のうち電極に近いバルブ端の側に偏在して被着されていることを特徴とする請求項２に記載の熱陰極蛍光ランプ。
【請求項４】
前記巻回部の巻回軸が前記ガラスバルブの管軸と略平行で、
前記導電性基体は前記フィラメントコイルへの給電部材に支持されており、
前記絶縁膜は、前記フィラメントコイルに電圧が印加された場合に、前記導電性基体と前記巻回部との最短間隙における電位差が小さい領域に比べて当該電位差の大きい領域が厚いことを特徴とする請求項２に記載の熱陰極蛍光ランプ。
【請求項５】
前記巻回部の巻回軸が前記ガラスバルブの管軸と略平行で、
前記巻回部の一端から第１リード部が延出され、前記巻回部の他端から第２リード部が延出され、
前記耐熱性スリーブのうち近方のバルブ端側から前記第１リード部および前記第２リード部が近方のバルブ端に向けて伸びており、
前記絶縁膜は、遠方のバルブ端側に比べて近方のバルブ端側が厚いことを特徴とする請求項２に記載の熱陰極蛍光ランプ。
【請求項６】
前記巻回部の巻回軸が前記ガラスバルブの管軸と略平行で、
前記巻回部の一端から第１リード部が延出され、前記巻回部の他端から第２リード部が延出され、前記導電性基体にはそこからスリーブ軸方向に延出されたスリーブリードが取り付けられ、前記耐熱性スリーブが当該スリーブリードを介して前記第１リード部または前記第２リード部への給電部材に支持されており、
前記絶縁膜は、前記スリーブリードに近い側に比べて前記スリーブリードから遠い側が厚いことを特徴とする請求項２に記載の熱陰極蛍光ランプ。
【請求項７】
前記巻回部は高次構造を有しており、
当該巻回部の最外郭の巻回軸が前記ガラスバルブの管軸と略平行であることを特徴とする請求項３から６のいずれかに記載の熱陰極蛍光ランプ。
【請求項８】
前記巻回部の一端から第１リード部が延出され、前記巻回部の他端から第２リード部が延出され、前記耐熱性スリーブにはそこからスリーブ軸方向に延出されたスリーブリードが設けられており、
前記スリーブリードは、前記第１リード部および前記第２リード部の双方から電気的に独立していることを特徴とする請求項２に記載の熱陰極蛍光ランプ。
【請求項９】
前記耐熱性スリーブは絶縁性部材からなることを特徴とする請求項１に記載の熱陰極蛍光ランプ。
【請求項１０】
前記巻回部は、巻回軸が前記ガラスバルブの管軸と略平行であることを特徴とする請求項１、２、８または９のいずれかに記載の熱陰極蛍光ランプ。
【請求項１１】
前記巻回部は高次構造を有しており、
当該巻回部の最外郭の巻回軸が前記ガラスバルブの管軸と略平行であることを特徴とする請求項１０に記載の熱陰極蛍光ランプ。
【請求項１２】
前記巻回部では、素線が略一定の間隙を維持しながら二重螺旋状に巻回されていることを特徴とする請求項７または１１のいずれかに記載の熱陰極蛍光ランプ。
【発明の詳細な説明】
【技術分野】
【０００１】
本発明は、主に液晶表示装置のバックライトに用いられる熱陰極蛍光ランプに関する。
【背景技術】
【０００２】
近年、液晶表示装置の中でも、液晶テレビ受像機等に対して大型化の要求があり、この要求に応じてバックライト用の低圧放電ランプに対しても大型化の要求がある。
【０００３】
当該大型化の要求に対し、冷陰極蛍光ランプと比べて発光効率が高く、また1本あたりの光量が多くてアセンブリの手間が省ける等の利点から、発明者らはバックライトに熱陰極蛍光ランプを採用することを検討している。
【０００４】
熱陰極蛍光ランプでは、一般に、電子放出物質が被着されたフィラメントコイルを採用しているが、点灯中に電子放出物質がスパッタされ、冷陰極蛍光ランプに比べて寿命が短いという課題があり、当該スパッタを抑制する技術が特許文献1に開示されている。具体的には、フィラメントコイルの巻回部分を金属スリーブで覆うことによって、点灯中にイオンのフィラメントコイルへの衝突を抑制し、当該スパッタを抑制することができる旨、記載されている（段落番号［００１９］を参照）。
【特許文献１】特開２００５−２３５７４９号公報
【発明の開示】
【発明が解決しようとする課題】
【０００５】
しかしながら、上記従来の熱陰極蛍光ランプでは、フィラメントコイルの巻回部分とこれを覆う金属スリーブとの間で短絡が発生するおそれがある。当該短絡が発生すると、フィラメントコイルが十分に予熱されないままランプが点灯を開始し、十分に予熱された状態でランプ点灯が開始する場合と比べて電子放出物質が過剰にスパッタされて損耗速度が高まり、ランプの寿命が縮むという問題がある。
【０００６】
本発明は、上記問題に鑑みてなされたものであり、上記巻回部分とこれを覆うスリーブとの間で短絡が生じることを防止して、ランプ寿命が縮むことを抑制することのできる熱陰極蛍光ランプを提供することを目的とする。
【課題を解決するための手段】
【０００７】
上記目的を達成するため、本発明に係る熱陰極蛍光ランプでは、電子放出物質が被着された巻回部を有するフィラメントコイルが、ガラスバルブ内の各端に配された熱陰極蛍光ランプに対し、上記巻回部を耐熱性スリーブで覆い、上記耐熱性スリーブの内周面の少なくとも一部領域に絶縁性を与えた。
【発明の効果】
【０００８】
本発明に係る熱陰極蛍光ランプでは、上記耐熱性スリーブの内周面の少なくとも一部領域に絶縁性を与えたので、ランプ点灯時に上記耐熱性スリーブと上記巻回部との間で短絡が発生することを防止することができ、上記巻回部に被着された電子放出物質が過剰にスパッタされて過剰損耗することを抑制でき、ランプ寿命が縮むことを抑制することができる。
【発明を実施するための最良の形態】
【０００９】
（実施の形態１）
以下、図面を用いて本実施の形態における熱陰極蛍光ランプについて説明する。
【００１０】
図１（ａ）は、本実施の形態における熱陰極蛍光ランプの概略断面図であり、（ｂ）は（ａ）の要部断面図である。図１（ａ）では、バルブ２およびバルブ２の内面に成膜された蛍光体膜２ａのみを断面で示している。図１（ｂ）では、バルブ２、蛍光体膜２ａ、スリーブ７のみを断面で示しており、一方の電極ユニット３の周辺部分の断面を示しているが、他方の電極ユニット３の周辺部分も同様の構成である。
【００１１】
図１（ａ）に示すように、本実施の形態における熱陰極蛍光ランプ１では、例えば、内径が５．０［ｍｍ］以上数１０［ｍｍ］以下の範囲に設定された、ガラス製の円筒状バルブ２に電極ユニット３が内包され、バルブ２の両端部側にそれぞれ配されている。
【００１２】
バルブ２の内面のうち、バルブ２両端側を除くほぼ全域に蛍光体膜２ａが成膜されている。蛍光体膜２ａは、例えば、赤（Ｙ２Ｏ３：Ｅｕ）、緑（ＬａＰＯ４：Ｃｅ，Ｔｂ）および青（ＢａＭｇ２Ａｌ１６Ｏ２７：Ｅｕ，Ｍｎ）発光の３種類を用いている。バルブ２内には、アルゴン（Ａｒ）、ネオン（Ｎｅ）等の希ガスと発光物質である水銀（Ｈｇ）が封入されている。
【００１３】
図１（ｂ）に示すように、電極ユニット３は、フィラメントコイル４、スリーブ７、スリーブリード８および接続部材５ａ，５ｂからなる。フィラメントコイル４は巻回部４ａ、第１リード部４ｂ、第２リード部４ｃからなり、スリーブ７には、螺旋状に巻回された巻回部４ａが内包されている。
【００１４】
スリーブ７は、例えばニッケル（Ｎｉ）、モリブデン（Ｍｏ）等で形成されている。スリーブ７の軸が上記巻回部４ａの巻回軸と略平行となっている。
【００１５】
スリーブ７の内径は、上記巻回部４ａの外径より大きく、内包された上記巻回部４ａが接触しないように設定されている。スリーブ７の外径は、バルブ２の内径より小さく、バルブ２と接触しないように設定されている。
【００１６】
上記巻回部４ａは、例えば外径が数［ｍｍ］以上５［ｍｍ］未満に設定されている。当該巻回部４ａの一端から近い側のバルブ２の端部に向けて第１リード部４ｂが延出され、同様に当該巻回部４ａの他端から近い側のバルブ２の端部に向けて第２リード部４ｃが延出されている。
【００１７】
フィラメントコイル４には、例えば、タングステン（Ｗ）あるいはレニウムタングステン（Ｒｅ−Ｗ）等を主成分とする素線が用られている。レニウムタングステン（Ｒｅ−Ｗ）はタングステン（Ｗ）に比べて加熱時の強度が高いので、本実施の形態では、レニウムタングステン（Ｒｅ−Ｗ）を主成分とする素線をフィラメントコイル４に採用している。
【００１８】
フィラメントコイル４の素線の直径は、２５［μｍ］〜７０［μｍ］のものを用いることができ、二重巻き（ダブルヘリカル）構造の場合、巻きやすさおよび強度の両立の観点から４５［μｍ］〜５５［μｍ］が望ましい。
【００１９】
フィラメントコイル４の巻回部４ａは、素線が略一定の間隙で螺旋状に巻回されてなる一重巻きコイルが、さらに螺旋状に巻回されて二重巻きの状態となっている。当該一重巻きコイルは、例えば、外径が０．１５［ｍｍ］、ピッチが０．０７［ｍｍ］に設定され、当該巻回部４ａの外径が１．３［ｍｍ］、ピッチが０．６［ｍｍ］に設定されている。
【００２０】
フィラメントコイル部４の巻回部４ａの表面には、電子放出物質３ａが被着されている。電子放出物質３ａは、バリウム（Ｂａ）、ストロンチウム（Ｓｒ）、カルシウム（Ｃａ）からなる３元アルカリ土類金属の酸化物を主成分とする。電子放出物質３ａの材質はこれに限定されず、二元のバリウム酸化物、あるいはアルカリ土類金属の酸化物に酸化ジルコニウムを１〜５重量％程度添加したものを主成分としても良い。
【００２１】
スリーブ７がフィラメントコイル部４の巻回部４ａを覆っており、スリーブ７の外周面から近い側のバルブ２の端部に向けてスリーブリード８が延出されている。スリーブリード８は、例えばステンレス（ＳＵＳ３０４）等で構成されている。
【００２２】
スリーブリード８、第１リード部４ｂおよび第２リード部４ｃはそれぞれの延出端側で板状の接続部材５ａ，５ｂに固定されている。板状の接続部材５ａ，５ｂは、例えばステンレス（ＳＵＳ３０４）を主成分とし、縦５［ｍｍ］、横２．５［ｍｍ］、厚み０．２［ｍｍ］に設定されている。また、接続部材５ａ，５ｂには、バルブ２両端を貫通し、かつ第１リード部４ｂ、第２リード部４ｃに通電する導入線６ａ，６ｂが、バルブ２に内包された側の端部で固定されている。
【００２３】
上記のように、接続部材５ａ，５ｂは、第１リード部４ｂ、第２リード部４ｃと導入線６ａ，６ｂとを接続するので、導入線６ａ，６ｂに電圧が印加されたとき、フィラメントコイル４への給電部材として機能する。
【００２４】
本実施の形態では、板状の接続部材５ａにおいて、一方の主面にスリーブリード８、第１リード部４ｂがそれぞれ固定され、他方の主面に導入線６ａが固定されており、同様に板状の接続部材５ｂにおいて、一方の主面に第２リード部４ｃが固定され、他方の主面に導入線６ｂが固定されている。
【００２５】
接続部材５ａ，５ｂで第１リード部４ｂ、第２リード部４ｃと導入線６ａ，６ｂとを各々接続すると、ランプ１を組み立てる際、接続部材を用いずに第１リード部、第２リード部を各導入線と接続する場合と比べて、フィラメントコイル４の位置決め精度を高めることができるとともに、第１リード部４ｂ、第２リード部４ｃと各導入線６ａ，６ｂとの接続を容易にすることができる。
【００２６】
スリーブリード８の支持部材は接続部材５ａに限らず、接続部材５ｂであっても良い。
【００２７】
本実施の形態では、フィラメントコイル４の巻回部４ａは、二重巻き（ダブルヘリカル）構造を採用しているが、これに限定されず、三重巻き（トリプルヘリカル）構造の他、一重巻き（シングルヘリカル）構造を採用しても良い。
【００２８】
フィラメントコイル４の巻回部４ａに多重巻き構造（高次構造）を採用すると、一重巻き（シングルヘリカル）構造と比べて、当該巻回部４ａをコンパクトにすることができ、ランプ１における設計自由度を向上させることができる。
【００２９】
具体的な本実施の形態に係る熱陰極蛍光ランプの駆動方法について概説すると、電極ユニット３を構成する第１リード部４ｂと、第２リード部４ｃとの間に電圧を印加するため、導入線６ａ，６ｂのそれぞれの間に例えば５［Ｖ］の電圧を印加し、フィラメントコイル４で電子放出物質３ａを加熱する。
【００３０】
そして、電極ユニット３同士の間に例えば３００［Ｖ］の電圧を印加することにより、電子放出物質３ａから電子を放出させて電極ユニット３同士の間でアーク放電を発生させる。電極ユニット３同士の間でアーク放電が発生した後は、電極ユニット３同士の間に１００［Ｖ］の電圧を印加するとともに、各電極ユニット３に例えば２［Ｖ］の電圧を印加する制御を行う。既述した２［Ｖ］の電圧の印加は、しなくても良いが、当該電圧印加をすると、ランプ寿命がより長くなる。
【００３１】
図２は、電極ユニットの概略構成図であり、図３（ａ）ないし（ｃ）は、図２で示した仮想平面での各バリエーションを示した矢視断面図である。図３（ａ）ないし（ｃ）では、スリーブのみ断面で示し、フィラメントコイルの巻回部に被着された電子放出物質を省略している。
【００３２】
図２に示すように、本実施の形態では、スリーブ７は、両端が開口された筒状のニッケル製基体１９とこの基体１９の内周面に成膜された絶縁膜２０とからなる。
【００３３】
図３（ａ）に示すように、本実施の形態では、絶縁膜２０が均一な厚みｔ１で、例えば０．００２〜１［ｍｍ］で成膜されている。
【００３４】
本実施の形態では、絶縁膜２０が基体１９の内周面全体に亘って成膜されているが、これに限らず、基体１９の内周面のうちフィラメントコイル４の第１リード部４ｂ，第２リード部４ｃ側に偏在するように成膜されていても良い。
【００３５】
絶縁膜２０は、酸化アルミニウム（Ａｌ２Ｏ３）、シリカ（ＳｉＯ２）あるいは酸化チタン（ＴｉＯ２）等の酸化物、または窒化ホウ素（ＢＮ）などの窒化物を主成分とする釉薬を基体１９の内周面に塗布して、これを約１２００［℃］で約１０分間、焼成することにより当該内周面に被着させることができる。なお、当該釉薬による絶縁層形成方法では、絶縁層を形成する基体１９が酸化しないように、酸素欠乏雰囲気下で行うことが望ましい。
【００３６】
例えば、シリカ粉体とホウ酸とを混合した釉薬を上記条件下で塗布、焼成すると、焼成によって融解したホウ酸にシリカが包み込まれたような絶縁膜２０を形成することができる。
【００３７】
絶縁膜２０は、窒化ホウ素（ＢＮ）、窒化珪素（Ｓｉ３Ｎ４）等の窒化物または炭化珪素（ＳｉＣ）等の炭化物、あるいはこれらを２種類以上組み合わせた混合物を主成分とする粉体を石油系炭化水素やカルボン酸エステルやアルコール類などの分散媒に所定の粘度となるように分散させ、ペースト状あるいはスラリー状としたものを基体１９の内周面に塗布し、これを分散媒の沸点および飽和蒸気圧に応じた温度で乾燥させることにより当該内周面に被着させることができる。
【００３８】
例えば、分散媒が酢酸ブチルである場合、粘度０．２〜２．０［Ｐａ・秒］のスラリーを塗布し、約４０［℃］の熱風を２分間当てることにより絶縁膜２０ｂを形成することができる。
【００３９】
また、上記酸化物、窒化物、炭化物等を予め焼成して、両端が開口された円筒状の絶縁部材を形成しておき、これを耐熱性の接着剤で基体１９の内周面に被着させて絶縁膜２０としてもよい。
【００４０】
例えば、シリカ粉体とホウ酸との混合物を鋳型に入れ焼くことによって予め絶縁部材１１ａ，１１ｂを形成しておき、これを耐熱性の接着剤で接続部材５ａ，５ｂの近接辺部に被着させる。
【００４１】
本実施の形態では、例えば耐熱温度１０００［℃］以上の耐熱性無機接着剤例えば、朝日化学工業（株）製のスミセラム（登録商標、商標登録番号第１２６９１４２号）あるいは日産化学工業（株）製のボンド・エックス（登録商標、商標登録番号第２５９８１３３号）などで接合する。
【００４２】
上記蛍光体膜２ａと同様の成分を含む蛍光体懸濁液を基体１９の内周面に塗布し、分散媒の沸点および飽和蒸気圧に応じた温度で乾燥させることにより当該内周面に当該蛍光体を主成分とする絶縁膜２０を被着させることができる。
＜バリエーション１＞
図３（ｂ）に示すように、バリエーション１の絶縁膜２１は、巻回部４ａの折り返し端側に比べて第１リード部４ｂ，第２リード部４ｃ側が厚い。
【００４３】
例えば、絶縁膜２１において、上記折り返し端側の基体１９開口端での厚みｔ２が０．０５［ｍｍ］、当該リード部４ｂ，４ｃ側の基体１９開口端での厚みｔ３が０．１５［ｍｍ］に設定されている。
【００４４】
絶縁膜２１の厚みは、例えば、釉薬、スラリー状材料を用いる場合、基体１９の内周面全体に亘って釉薬、スラリー状材料を塗布し、焼成工程中において基体１９をその軸を中心にして回転させかつ基体１９軸を、鉛直下向きを基準に、直角に維持し、徐々に鈍角に変化させることによって、上記のように調整することができる。釉薬とスラリー状材料とでは、粘度が異なるので、焼成中における上記角度変化期間、焼成温度等を調整することによって絶縁膜２１を上記のような構成とすることができる。
【００４５】
また、基体１９の内周面の全体に亘って釉薬、スラリー状材料を塗布し、均一な厚みの絶縁膜を成膜し、円錐台の形状を有するブラシの円錐軸を基体１９の軸と一致させ、当該ブラシをその円錐軸を中心に回転させて均一な厚みに成膜された絶縁膜を削り、絶縁膜２１を形成することができる。
＜バリエーション２＞
図３（ｃ）に示すように、バリエーション２の絶縁膜２２では、バリエーション１の絶縁膜２１に対し、スリーブ７の軸方向に延出されたスリーブリード８に近い側に比べてスリーブリード８から遠い側が厚くなっている。
【００４６】
例えば、絶縁膜２２において、スリーブリード８に近い側では、巻回部４ａの折り返し端側の基体１９開口端での厚みｔ４が０．０５［ｍｍ］、リード部４ｂ，４ｃ側の基体１９開口端での厚みｔ５が０．１０［ｍｍ］に設定されており、スリーブリード８から遠い側では、巻回部４ａの折り返し端側の基体１９開口端での厚みｔ６が０．１０［ｍｍ］、リード部４ｂ，４ｃ側の基体１９開口端での厚みｔ７が０．１５［ｍｍ］に設定されている。
【００４７】
絶縁膜２２の厚みは、例えば、釉薬、スラリー状材料を用いる場合、基体１９の内周面全体に亘って釉薬、スラリー状材料を塗布し、焼成工程中において基体１９をその軸を中心にして回転させかつ基体１９軸を、鉛直下向きを基準に、直角に維持し、徐々に鈍角に変化させ、焼成完了前に基体１９の回転を止めて焼成を完了させることによって、上記のように調整することができる。釉薬とスラリー状材料とでは、粘度が異なるので、焼成中における上記角度変化期間、焼成温度、基体１９の回転停止のタイミング等を調整することによって絶縁膜２２を上記のような構成とすることができる。
【００４８】
また、基体１９の内周面の全体に亘って釉薬、スラリー状材料を塗布し、均一な厚みの絶縁膜を成膜し、円錐台の形状を有するブラシの円錐軸を基体１９の軸に対して偏心配置し、当該ブラシをその円錐軸を中心にして回転させて均一な厚みに成膜された絶縁膜を削り、絶縁膜２２を形成することができる。
《実施の形態１における熱陰極蛍光ランプの効果》
本実施の形態では、スリーブ７において基体１９の内周面全体に亘って絶縁膜２０が均一な厚みで成膜されているので、導入線６ａ，６ｂ（図１（ｂ）参照）からフィラメントコイル４に対して電圧を印加した場合、スリーブ７と、フィラメントコイル４のうちスリーブ７と最も近接する部分とでアークが飛び、短絡が発生することを防止でき、フィラメントコイル４の巻回部４ａに被着された電子放出物質３ａが過剰にスパッタされ過剰損耗することを抑制でき、ランプ寿命を縮めることを抑制することができる。
【００４９】
フィラメントコイル４に対して電圧が印加されたとき、巻回部４ａのうち第１リード部４ｂ側、もしくは第２リード部４ｃ側とスリーブ７との間で最も電位差が大きくなると考えられる。
【００５０】
既述のように、絶縁膜２０が基体１９の内周面のうちフィラメントコイル４の第１リード部４ｂ，第２リード部４ｃ側に偏在するように成膜されていると、スリーブ７の内周面のうち当該電位差のもっとも大きくなる領域に絶縁膜２０を配することができるので、上記短絡の発生を防止することができ、フィラメントコイル４の巻回部４ａに被着された電子放出物質３ａが過剰にスパッタされ過剰損耗することを抑制でき、ランプ寿命を縮めることを抑制することができる。
【００５１】
絶縁膜２０が基体１９の内周面全体に亘って成膜されていると、上記短絡の発生を防止する効果がさらに確実になって、ランプ寿命を縮めることを確実に抑制できる。
【００５２】
巻回部４ａのうち、スリーブ７の内周面との間における電位差は、折り返し端に比べて第１リード部４ｂ側、あるいは第２リード部４ｃ側が大きく、本実施の形態におけるバリエーション１では、絶縁膜２１の厚みを、巻回部４ａの折り返し端側に比べて第１リード部４ｂ，第２リード部４ｃ側で大きくしたので、スリーブ７内周面のうち上記短絡の発生しやすい領域での短絡発生を確実に防止することができると共に、スリーブ７内周面の他の領域での短絡発生を防止でき、フィラメントコイル４の巻回部４ａに被着された電子放出物質３ａが過剰にスパッタされ過剰損耗することを抑制でき、ランプ寿命を縮めることを抑制することができる。
【００５３】
本実施の形態では、フィラメントコイル４のうち電子放出物質３ａが被着された巻回部４ａの巻回軸がバルブ２の管軸と略平行であるため、放電中に生じたイオンを主に当該巻回部４ａの折り返し端部に衝突させ、当該折り返し端部以外の他の大部分のイオンスパッタを抑制することができる。これによって、電子放出物質３ａの枯渇を抑制でき、ランプ寿命が縮むことを抑制できる。
【００５４】
さらに、上記巻回部４ａの巻回軸がバルブ２の管軸と略平行であることによって、フィラメントコイル４の長さを小さくすることなく、バルブ２の径を小さくすることができ、ランプ１の設計自由度を向上させることができる。
【００５５】
そして、バルブ２の径を小さくすると、輝度を向上させることができるが、上記巻回部４ａの巻回軸がバルブ２の管軸と略平行であることによって、バルブ２の径を小さくしながらも、上記巻回部４ａに電子放出物質３ａが塗布できる領域が減少することを防止できるので、ランプ寿命が縮むことを抑制しながら輝度を向上させることができる。
【００５６】
本実施の形態では、フィラメントコイル４の巻回部４ａにスリーブ７を被覆させたので、放電中に生じたイオンによるスパッタをさらに抑制することができ、ランプ寿命が縮むことをさらに抑制することができる。
【００５７】
フィラメントコイル４の巻回部４ａが高次構造を有する場合、当該巻回部４ａの最外郭の巻回軸がバルブ２の管軸と略平行であれば、上記効果と同様の効果を発揮することができる。
【００５８】
本実施の形態では、フィラメントコイル４のうち電子放出物質３ａが被着された巻回部４ａの巻回軸がバルブ２の管軸と略平行であったが、フィラメントコイルのうち電子放出物質が被着された巻回部の巻回軸がバルブの管軸と直交する場合、当該巻回部がスリーブに被覆されていることによって、当該巻回部のうち近い方のバルブ封止端側および巻回端部に被着された電子放出物質が、放電中に生じたイオンにスパッタされることを抑制することができ、ランプ寿命が縮むことを抑制できる。
【００５９】
実施の形態１におけるバリエーション１では、スリーブ７内周面のうち上記短絡発生の可能性が高い領域に比べ当該可能性の低い領域において、絶縁膜２１を薄くすることができるので、コスト低減を図ることができる。
【００６０】
巻回部４ａにおいて、スリーブ７の内周面との間における電位差は、第１リード部４ｂ側および第２リード部４ｃ側のうち、スリーブリード８から遠い側が最も大きくなると考えられる。
【００６１】
実施の形態１におけるバリエーション２では、スリーブリード８が接続部材５ａに支持されていることから、絶縁膜２２を、スリーブリード８から近い側（第１リード部４ｂ側）に比べて、スリーブリード８から遠い側（第２リード部４ｃ側）で厚くしたので、スリーブ７内周面のうち上記短絡の最も発生しやすい領域での短絡発生を確実に防止できると共に、スリーブ７内周面の他の領域での短絡発生を防止でき、フィラメントコイル４の巻回部４ａに被着された電子放出物質３ａが過剰にスパッタされ過剰損耗することを抑制でき、ランプ寿命を縮めることを抑制することができる。
【００６２】
既述のように、スリーブリード８は接続部材５ａに限らず、接続部材５ｂで支持されていても良いので、その場合、絶縁膜２２を、第２リード部４ｃ側に比べて第１リード部４ｂ側で厚くすれば同様の効果を得ることができる。
【００６３】
バリエーション２の絶縁膜２２では、バリエーション１の絶縁膜２１に対し、スリーブ７の軸方向に延出されたスリーブリード８に近い側に比べてスリーブリード８から遠い側を厚くしているが、基体１９の内周面全体に亘って均一な厚みで成膜された絶縁膜２０に対してスリーブリード８に近い側に比べてスリーブリード８から遠い側を厚くしても同様の効果を得ることができる。
【００６４】
本実施の形態では、スリーブ７がニッケル（Ｎｉ）等の導電性基体１９と絶縁膜２０とで構成されていたが、スリーブ全体が絶縁部材で構成されている場合にも、同様に、当該スリーブとフィラメントコイル４のうちスリーブと最も近接する部分とで短絡が発生することを防止でき、ランプ寿命を縮めることを抑制することができる。
【００６５】
スリーブリード８の一端側を接続部材５ａ，５ｂに接続せず、他の部材、例えばバルブ２に挿設させて、接続部材５ａ，５ｂと電気的に独立した状態とすれば、スリーブ７と、フィラメントコイル４のうちスリーブ７と最も近接する部分との間の電位差を縮めるように調整することができ、既述のような短絡の発生を防止できて、ランプ寿命が縮むことを抑制することができる。
【００６６】
上記各絶縁膜２０，２１，２２が、蛍光体で形成されていると、放電によって発生した紫外線を効率よく可視光に変換し、発行効率を向上させることができる。また上記各絶縁膜２０，２１，２２が、酸化アルミニウム（Ａｌ２Ｏ３）、酸化チタン（ＴｉＯ２）等の紫外線反射能を有する材料で形成されていると、放電によって発生した紫外線を反射して、これを効率よくバルブ２の内面に被着された蛍光体膜２ａに照射でき、発光効率を向上させることができる。
【００６７】
バリエーション２の絶縁膜２２の構成を採用すると、スリーブ７内周面のうち上記短絡発生の可能性が高い領域に比べ当該可能性の低い領域での絶縁膜２２の厚みを薄くすることができるので、コスト低減を図ることができる。
【００６８】
絶縁膜２０，２１，２２が基体１９の内周面の全体に亘って成膜されている場合、スリーブ７とフィラメントコイル４の巻回部４ａとが接触していてもこれら両者間の絶縁を確保することができるので、スリーブ７径の設計自由度を向上させることができ、バルブ２の設計自由度を向上させることができる。
【産業上の利用可能性】
【００６９】
本発明によれば、ランプ寿命が縮むことを抑制できるので、ランプ交換期間を延長させることができ、本発明に係るランプを採用すると、製品のライフサイクルとの関係で、メンテナンスフリーの照明装置を実現することができ、その産業上の利用可能性は非常に広く、かつ大きい。
【図面の簡単な説明】
【００７０】
【図１】（ａ）は、実施の形態１における熱陰極蛍光ランプの概略断面図であり、（ｂ）は（ａ）の要部断面図である。
【図２】は、実施の形態１における電極ユニットの概略構成図である。
【図３】（ａ）ないし（ｃ）は、実施の形態１において図２の仮想平面での各バリエーションを示した矢視断面図である。
【符号の説明】
【００７１】
１                          熱陰極蛍光ランプ
２                          バルブ
２ａ                        蛍光体膜
３                          電極ユニット
３ａ                        電子放出物質
４                          フィラメントコイル
４ａ                        巻回部
４ｂ                        第１リード部
４ｃ                        第２リード部
５ａ，５ｂ                  接続部材
６ａ，６ｂ                  導入線
７                          スリーブ
８                          スリーブリード
１９                        基体
２０                        絶縁膜
【図１】
2008117635.tif 000003
【図２】
2008117635.tif 000004
【図３】
2008117635.tif 000005